(57)【要約】【課題】、アドホック型の無線通信ネットワークにおいて、複数の中継装置の運用を遠隔から一元的に管理する。【解決手段】アドホック型の無線通信ネットワークを形成する中継装置１−１〜１−５のうちの１つの中継装置１−１に管理端末２が接続される。各中継装置１は、位置情報を取得し、取得された位置情報を無線ネットワークを介して管理端末２にそれぞれ送信する。管理端末２は上記送信された位置情報を受信して、中継装置１それぞれの配置状況を表す画像データを作成して表示部に表示する。表示された配置状況に基づいて中継装置１の動作状態を変更する指示が入力されると、入力された指示をもとに制御対象の中継装置１に制御情報を送信する。制御情報を受信した中継装置１は、上記制御情報に基づいて動作状態を変更する。【選択図】      図１
2008278242.tif 000002
【特許請求の範囲】
【請求項１】
通信範囲内で互いに無線ネットワークを形成する複数の中継装置と、前記複数の中継装置の１つに接続され、前記無線ネットワーク内の中継装置を統括的に管理する管理装置とを具備する無線通信システムであって、
前記中継装置は、
位置情報を取得する位置情報取得手段と、
前記取得された位置情報を前記無線ネットワークを介して前記管理装置に送信する位置情報送信手段と、
前記管理装置から送信される制御情報を受信する制御情報受信手段と、
前記受信された制御情報に基づいて動作状態を制御する動作状態制御手段と
を具備し、
前記管理装置は、
前記複数の中継装置からそれぞれ送信される位置情報を受信する位置情報受信手段と、
前記受信された各中継装置の位置情報をもとに前記複数の中継装置の配置状況を表す画像データを作成する配置状況画像作成手段と、
前記作成された画像データをもとに前記複数の中継装置の配置状況を表示する表示手段と、
前記表示手段で表示された前記複数の中継装置のいずれかを指定して動作状態を変更する指示の入力を受け付ける入力手段と、
前記入力された指示をもとに制御情報を生成し、前記指定された中継装置に送信する制御情報送信手段と
を具備することを特徴とする無線通信システム。
【請求項２】
前記中継装置は、
正規の運用状態とは異なる状態を不正状態として検出する不正状態検出手段と、
前記検出された不正状態を表す情報を管理装置に送信する不正状態送信手段と
をさらに具備し、
前記管理装置は、
前記複数の中継装置それぞれから送信される不正状態を表す情報を受信する不正状態受信手段と、
前記受信された各中継装置の不正状態を表す情報をもとに不正状態にある中継装置の動作状態を表す画像データを作成する不正状態画像作成手段と
をさらに具備し、
前記管理装置の表示手段は、前記不正状態画像作成手段により作成された画像データをもとに不正状態にある中継装置を表示し、
前記管理装置の入力手段は、前記表示手段で表示された前記不正状態にある中継装置の動作を停止させる指示の入力を受け付けることを特徴とする請求項１記載の無線通信システム。
【請求項３】
前記中継装置の不正状態検出手段は、前記中継装置に加速度センサを搭載し、運用中に前記加速度センサによって加速度が感知されたとき中継装置の搬送を不正状態として検出することを特徴とする請求項２記載の無線通信システム。
【請求項４】
前記中継装置の不正状態検出手段は、前記中継装置に生体情報を取得する生体情報センサを搭載し、この生体情報センサによって得られた生体情報を正規登録情報と比較して不一致と判断された場合に当該中継装置の運用を不正状態として検出することを特徴とする請求項２記載の無線通信システム。
【請求項５】
複数の中継装置が通信範囲内で互いに無線ネットワークを形成し、前記複数の中継装置の１つに接続される管理装置が前記無線ネットワーク内の中継装置を統括的に管理する無線通信システムの中継装置管理方法において、
前記中継装置は、位置情報を取得し、取得された位置情報を前記無線ネットワークを介して前記管理装置に送信し、
前記管理装置は、前記複数の中継装置からそれぞれ送信される位置情報を受信し、受信された各中継装置の位置情報をもとに前記複数の中継装置の配置状況を表す画像データを作成し、この作成された画像データをもとに前記複数の中継装置の配置状況を表示し、前記表示された前記複数の中継装置のいずれかを指定して動作状態を変更する指示の入力を受け付け、前記入力された指示をもとに制御情報を生成し、前記指定された中継装置に送信し、
前記中継装置は、前記管理装置から送信された制御情報を受信し、前記受信された制御情報に基づいて動作状態を制御することを特徴とする中継装置管理方法。
【請求項６】
前記中継装置は、正規の運用状態とは異なる状態を不正状態として検出し、前記検出された不正状態を表す情報を管理装置に送信し、
前記管理装置は、前記複数の中継装置それぞれから送信される不正状態を表す情報を受信し、前記受信された各中継装置の不正状態を表す情報をもとに不正状態にある中継装置の動作状態を表す画像データを作成し、この作成された画像データをもとに不正状態にある中継装置を表示し、前記表示された不正状態にある中継装置の動作を停止させる指示の入力を受け付けることを特徴とする請求項５記載の中継装置管理方法。
【請求項７】
前記中継装置は、当該装置に加わる加速度を感知して中継装置の搬送を不正状態として検出することを特徴とする請求項６記載の中継装置管理方法。
【請求項８】
前記中継装置は、当該装置において生体情報を取得し、取得された生体情報を正規登録情報と比較して不一致と判断された場合に当該中継装置の運用を不正状態として検出することを特徴とする請求項６記載の中継装置管理方法。
【発明の詳細な説明】
【技術分野】
【０００１】
この発明は、アドホック型の無線ネットワークを形成する中継装置を管理する無線通信システムとその中継管理方法に関する。
【背景技術】
【０００２】
アドホック型の無線ネットワークは、インフラ型に比べて短時間にシステムを構築することができる。また、地理的に困難な場所にも設置しやすいため有利である。
【０００３】
しかしながら、アドホック型の中継装置は、適当な場所に配置されるため、中継装置の運用周波数の変更等を直接実施することができない場合がある。また、中継装置が第三者に奪取された場合に、動作を停止することができないため、セキュリティを確保できないという問題があった。
【０００４】
なお、無線通信装置それぞれの動作状況を点滅パターン等で示すことで無線通信装置それぞれの稼動状況を提示する手法が提案されている（例えば、特許文献１を参照。）。
【特許文献１】特開２００３−１３４１３１公報
【発明の開示】
【発明が解決しようとする課題】
【０００５】
上記述べたように、アドホック型の中継装置は、設置の自由度があるゆえに様々な場所に配置されてしまい、運用状態の変更や管理等に負担がかかるという問題があった。
【０００６】
この発明は上記事情に着目してなされたもので、その目的とするところは、アドホック型の無線通信ネットワークにおいて、複数の中継装置の運用を遠隔から一元的に管理することができる無線通信システムとその中継装置管理方法を提供することにある。
【課題を解決するための手段】
【０００７】
上記目的を達成するためにこの発明に係る無線通信システムは、通信範囲内で互いに無線ネットワークを形成する複数の中継装置と、前記複数の中継装置の１つに接続され、前記無線ネットワーク内の中継装置を統括的に管理する管理装置とを具備する無線通信システムであって、前記中継装置は、位置情報を取得する位置情報取得手段と、前記取得された位置情報を前記無線ネットワークを介して前記管理装置に送信する位置情報送信手段と、前記管理装置から送信される制御情報を受信する制御情報受信手段と、前記受信された制御情報に基づいて動作状態を制御する動作状態制御手段とを具備し、前記管理装置は、前記複数の中継装置からそれぞれ送信される位置情報を受信する位置情報受信手段と、前記受信された各中継装置の位置情報をもとに前記複数の中継装置の配置状況を表す画像データを作成する配置状況画像作成手段と、前記作成された画像データをもとに前記複数の中継装置の配置状況を表示する表示手段と、前記表示手段で表示された前記複数の中継装置のいずれかを指定して動作状態を変更する指示の入力を受け付ける入力手段と、前記入力された指示をもとに制御情報を生成し、前記指定された中継装置に送信する制御情報送信手段とを具備することを特徴とする。
【０００８】
また、この発明に係る中継装置管理方法は、複数の中継装置が通信範囲内で互いに無線ネットワークを形成し、前記複数の中継装置の１つに接続される管理装置が前記無線ネットワーク内の中継装置を統括的に管理する無線通信システムの中継装置管理方法において、前記中継装置は、位置情報を取得し、取得された位置情報を前記無線ネットワークを介して前記管理装置に送信し、前記管理装置は、前記複数の中継装置からそれぞれ送信される位置情報を受信し、受信された各中継装置の位置情報をもとに前記複数の中継装置の配置状況を表す画像データを作成し、この作成された画像データをもとに前記複数の中継装置の配置状況を表示し、前記表示された前記複数の中継装置のいずれかを指定して動作状態を変更する指示の入力を受け付け、前記入力された指示をもとに制御情報を生成し、前記指定された中継装置に送信し、前記中継装置は、前記管理装置から送信された制御情報を受信し、前記受信された制御情報に基づいて動作状態を制御することを特徴とする。
【０００９】
上記構成による無線通信システムとその中継装置及び中継方法では、アドホック型の無線通信ネットワークを形成する中継装置のうちの１つの中継装置に管理装置が接続され、各中継装置は、位置情報を取得し、取得された位置情報を無線ネットワークを介して管理装置にそれぞれ送信する。管理装置は上記送信された位置情報を受信して、中継装置それぞれの配置状況を表す画像を作成して表示部に表示する。さらに、管理装置に表示された配置状況に基づいて中継装置の動作状態を変更する指示が入力されると、入力された指示をもとに制御対象の中継装置に制御情報を送信する。制御情報を受信した中継装置は、上記制御情報に基づいて動作状態を変更するようにしている。
【００１０】
このようにすることで、運用者は、管理装置により、アドホック型の無線ネットワークを形成する複数の中継装置それぞれの配置状況を簡単に把握することができ、さらに、表示された配置状況に基づいて中継装置それぞれの動作状態を遠隔から制御することが可能となる。
【発明の効果】
【００１１】
すなわち、この発明によれば、アドホック型の無線通信ネットワークにおいて、複数の中継装置の運用を遠隔から一元的に管理することができる無線通信システムとその中継装置管理方法を提供することができる。
【発明を実施するための最良の形態】
【００１２】
以下、図面を参照しながら本発明の実施の形態を詳細に説明する。  
図１は、この発明の無線通信システムの一実施形態を示す全体構成図である。  
このシステムは、任意に配置されるアドホック型の中継装置１−１〜１−５（以下、中継装置１と総称する。）と、運用者が使用する管理端末２と、携帯可能な端末３とを備える。中継装置１は、それぞれ通信範囲内の他の中継装置１との間で送受信されるデータを中継する無線通信ネットワークを動的に形成する。管理端末２及び端末３は、任意の中継装置１に接続される。なお、中継装置１及び端末３の台数は、それぞれ任意に選択できる。
【００１３】
図２は、中継装置１の構成を示すブロック図である。  
中継装置１は、ＣＰＵ（Central Processing Unit）１０と、無線通信部１１と、ＧＰＳ受信部１２と、加速度センサ１３と、生体認証部１４と、中継処理部１５と、位置情報通知部１６と、不正状態通知部１７と、動作制御部１８、端末インタフェース（Ｉ／Ｆ）１９とを備える。
【００１４】
無線通信部１１は、ＣＰＵ１０の制御の下、通信範囲内に存在する他の中継装置１との間で、直接又はさらに中継装置を介して無線通信を行う。ＧＰＳ受信部１２は、ＧＰＳ衛星から自装置の現在位置情報を定期的に取得する。加速度センサ１３は、中継装置１に加わる加速度を計測する。生体認証部１４は、例えば、指紋、声紋等の身体的特徴を表す生体情報を取得する生体情報センサを搭載し、この生体情報センサによって得られた生体情報を正規登録情報と比較して使用者を認証する。端末Ｉ／Ｆ１９は、ＣＰＵ１０制御の下でＬＡＮ等の接続回線を介して、自装置に接続された管理端末２又は端末３との間でデータの送受信を行う。
【００１５】
中継処理部１５は、無線通信部１１から受信されたデータの宛先情報を確認し、他装置宛ての場合には受信されたデータを他の中継装置１に転送する。一方、受信されたデータの宛先情報が自装置宛てと確認された場合には、自装置に接続された端末等に受信されたデータを供給する。位置情報通知部１６は、ＧＰＳ受信部１２により取得された位置情報を無線通信部１１により管理端末２に向け送信する。
【００１６】
不正状態通知部１７は、正規の運用状態とは異なる状態が検出された場合に不正状態として、不正状態を表す情報を管理端末２に送信する。具体的には、例えば、中継装置１が固定されて運用されている場合に加速度センサ１３により一定値以上の加速度が検知された場合や、中継装置１が所定の運用者に携帯される場合に生体認証部１４において取得された生体情報が正規登録情報と比較して不一致と判断された場合に当該中継装置の運用を不正状態として検出する。動作制御部１８は、管理端末２から送信されてくる制御情報に基づいて中継処理部１５に対して運用周波数の変更、中継動作の停止等の制御を行う。
【００１７】
図３は、管理端末２の構成を示す機能ブロック図である。  
管理端末２は、ＣＰＵ２０と、中継装置インタフェース（中継装置Ｉ／Ｆ）２１と、表示部２２と、入力部２３と、配置状況画像作成部２４と、不正状態画像作成部２５と、遠隔制御部２６とを備える。
【００１８】
管理端末２は、中継装置Ｉ／Ｆ２１により中継装置１の１つに接続され、ＣＰＵ２０の制御の下でＬＡＮ等の接続回線を介して中継装置１との間でデータの送受信を行う。表示部２２には、ＬＣＤ（Liquid Crystal Display）等の表示装置が用いられる。入力部２３は、運用者によりキーボードやマウス等を用いて入力される操作情報を取り込む。
【００１９】
管理端末２は、中継装置Ｉ／Ｆ２１により自装置に接続される中継装置１の通信範囲内に存在する中継装置１それぞれから送信される位置情報及び不正状態を表す情報を受信する。配置状況画像作成部２４は、上記受信された中継装置１それぞれの位置情報に基づいて中継装置１それぞれの配置状況を地図上に表す画像データを作成する。表示部２２には、ＣＰＵ２０の制御の下、配置状況画像作成部２４により作成された画像データをもとに中継装置１それぞれの配置状況が表示される。
【００２０】
不正状態画像作成部２５は、中継装置Ｉ／Ｆ２１により不正状態を表す情報が受信された場合に、不正状態にある中継装置１の動作状態を表す画像データを作成する。表示部２２には、ＣＰＵ２０の制御の下、不正状態画像作成部２５により作成された画像データをもとに不正状態にある中継装置１の動作状態が表示される。なお、不正状態画像作成部２５は、上記配置状況画像作成部２４により作成された配置状況と共に、不正状態にある中継装置１の動作状態を表示するようにしてもよい。
【００２１】
遠隔制御部２６は、運用者により入力部２３から入力される中継装置１の動作を制御する指示を受け付け制御情報を生成し、制御対象の中継装置１に向け送信する。制御情報とは、例えば、表示部２２に表示された配置状況に基づいて運用周波数を変更する等の動作変更の指示が運用者により入力される。また、表示部２２に中継装置１の不正状態が表示された場合には、不正状態にある中継装置１の動作を停止する指示が運用者により入力される。
【００２２】
次に、このように構成された無線通信システムの動作について説明する。図４は、この無線通信システムにおける配置状況表示及び中継装置の動作変更の手順とその内容を示すシーケンス図である。  
中継装置１において、ＧＰＳ受信部１２は定期的に位置情報を取得する（ステップＳ４ａ）。中継装置１のＣＰＵ１０は、位置情報通知部１６により上記取得された位置情報を管理端末２に無線ネットワークを介して送信する（ステップＳ４ｂ）。
【００２３】
管理端末２のＣＰＵ２０は、中継装置１それぞれから送信されてくる位置情報を中継装置Ｉ／Ｆ２１により受信する（ステップＳ４ｃ）。配置状況画像作成部２４は、上記受信された中継装置１それぞれの位置情報をもとに中継装置１それぞれの配置状況を地図上に表した画像データを作成する（ステップＳ４ｄ）。ＣＰＵ２０は、この作成された画像データをもとに中継装置１の配置状況を表示部２２に表示する（ステップＳ４ｅ）。
【００２４】
ここで、運用者により表示された配置状況に基づいて中継装置１のいずれかを指定して動作変更の指示が入力されると（ステップＳ４ｆ）、遠隔制御部２６は、入力部２３に入力された動作変更指示をもとに制御情報を生成する（ステップＳ４ｇ）。そして、遠隔制御部２６は、生成した制御情報を中継装置Ｉ／Ｆ２１に接続される中継装置１により無線ネットワークを介して制御対象の中継装置１に送信する。
【００２５】
制御対象の中継装置１は、管理端末２により送信された制御情報を無線通信部１１により受信すると（ステップＳ４ｉ）、動作制御部１８は、受信された制御情報をもとに中継処理部１５の動作変更を行う（ステップＳ４ｊ）。
【００２６】
図５は、この無線通信システムにおける配置状況表示及び中継装置の動作変更の手順とその内容を示すシーケンス図である。  
中継装置１において、不正状態通知部１７は、加速度センサ１３により一定値以上の加速度が計測された場合、あるいは生体認証部１４において得られた生体情報が正規登録情報と比較して不一致と判断された場合に不正状態を検出したものとする（ステップＳ５ａ）。不正状態通知部１７は、上記検出された不正状態を表す情報を無線ネットワークを介して管理端末２に送信する（ステップＳ５ｂ）。
【００２７】
管理端末２のＣＰＵ２０は、不正状態にある中継装置１から送信されてくる不正状態を表す情報を中継装置Ｉ／Ｆ２１により受信する（ステップＳ５ｃ）。不正状態画像作成部２５は、上記受信された不正状態を表す情報をもとに不正状態にある中継装置１の動作状態を表す画像データを作成する（ステップＳ５ｄ）。ＣＰＵ２０は、この作成された画像データをもとに不正状態にある中継装置１の動作状態を表示部２２に表示する（ステップＳ５ｅ）。
【００２８】
ここで、表示部２２に表示された動作状態に基づいて不正状態にある中継装置１の中継処理を停止させる指示が運用者により入力されると（ステップＳ５ｆ）、遠隔制御部２６は、入力部２３に入力された中継処理の停止指示をもとに制御情報を生成する（ステップＳ５ｇ）。そして、遠隔制御部２６は、生成した制御情報を中継装置Ｉ／Ｆ２１に接続される中継装置１により無線ネットワークを介して不正状態にある中継装置１に送信する。
【００２９】
不正状態にある中継装置１は、管理端末２により送信された制御情報を無線通信部１１により受信すると（ステップＳ５ｉ）、動作制御部１８は、受信された制御情報をもとに中継処理部１５の中継処理を停止させる（ステップＳ５ｊ）。
【００３０】
以上述べたように、上記実施形態では、アドホック型の無線通信ネットワークを形成する中継装置１−１〜１−５のうちの１つの中継装置１−１に管理端末２が接続される。各中継装置は、位置情報を取得し、取得された位置情報を無線ネットワークを介して管理端末２にそれぞれ送信する。管理端末２は上記送信された位置情報を受信して、中継装置それぞれの配置状況を表す画像データを作成して表示部に表示する。表示された配置状況に基づいて中継装置の動作状態を変更する指示が入力されると、入力された指示をもとに制御対象の中継装置１に制御情報を送信する。制御情報を受信した中継装置１は、上記制御情報に基づいて動作状態を変更する。
【００３１】
したがって、上記実施形態によれば、管理端末２において、無線ネットワークを形成する中継装置１それぞれの配置状況を簡単に把握することができ、表示される配置状況に基づいて中継装置の運用周波数の変更等の制御を行うことができる。
【００３２】
さらに、上記実施形態では、中継装置１に加速度センサ１３及び生体認証部１４を備え、不正な運用状態を検出し、不正状態を表す情報を無線ネットワークを介して管理端末２に送信する。管理端末２は、不正状態を表す情報を受信すると、不正状態にある中継装置１の動作状態を表示し、この表示に基づいて不正状態にある中継装置１の動作を停止する指示を受け付ける。管理端末２は、受け付けた指示を表す制御情報を不正状態にある中継装置１に送信することで、その中継装置１の動作を停止させるようにしている。
【００３３】
このように構成することで、中継装置１が第三者により奪取された場合でも、その状況が管理端末２に表示されるため、運用者はその状況に対し迅速に判断することが可能となる。さらに、管理端末２から該当する中継装置１に対して中継処理を強制停止させることによって、第三者による情報漏えいを防止することが可能となる。
【００３４】
したがって、上記実施形態によれば、アドホック型の中継装置を用いた無線通信システムにおいて、複数の中継装置の運用を遠隔から一元的に管理できるようにし、セキュリティを高めた無線通信システムを提供することが可能となる。
【００３５】
なお、この発明は上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【図面の簡単な説明】
【００３６】
【図１】この発明の無線通信システムの一実施形態を示す全体構成図。
【図２】図１に示す中継装置の構成を示す機能ブロック図。
【図３】図１に示す管理端末の構成を示す機能ブロック図。
【図４】この無線通信システムにおける配置状況表示及び中継装置の動作変更の手順とその内容を示すシーケンス図。
【図５】この無線通信システムにおける不正状態表示及び中継装置の動作停止の手順とその内容を示すシーケンス図。
【符号の説明】
【００３７】
１−１〜１−５…中継装置、２…管理端末、３…端末、１０…ＣＰＵ、１１…無線通信部、１２…ＧＰＳ受信部、１３…加速度センサ、１４…生体認証部、１５…中継処理部、１６…位置情報通知部、１７…不正状態通知部、１８…動作制御部、１９…端末インタフェース、２０…ＣＰＵ、２１…中継装置インタフェース、２２…表示部、２３…入力部、２４…配置状況画像作成部、２５…不正状態画像作成部、２６…遠隔制御部。
【図１】
2008278242.tif 000003
【図２】
2008278242.tif 000004
【図３】
2008278242.tif 000005
【図４】
2008278242.tif 000006
【図５】
2008278242.tif 000007